(57)【要約】【課題】  廻り階段のコーナー部内側を利用者が昇降する際に、コーナー部の前後を通じ安心して手すりを利用することができる手すりの配設構造を提供すること。【解決手段】  直線階段１部分とコーナー部２との組合せで形成される廻り階段３のコーナー部２の内側部分に設けられる手すりの配設構造であって、直線階段１部分の階段壁面４に、該直線階段１の傾斜に沿ってコーナー部２に至るように設けられる直線手すり５と、該コーナー部２の前記直線階段１と連続する側の隅部６に、直線手すり５に近接し該隅部６の斜め外側方向に突出するように上下方向に設けられる垂直手すり７とを、該垂直手すり７を、その上部分が前記直線手すり５より上側に突出するように設けた手すりの配設構造となっている。【選択図】図１
2006299569.tif 000002
【特許請求の範囲】
【請求項１】
直線階段部分とコーナー部との組合せで形成される廻り階段のコーナー部の内側部分に設けられる手すりの配設構造であって、直線階段部分の階段壁面に、該直線階段の傾斜に沿ってコーナー部に至るように設けられる直線手すりと、該コーナ部の前記直線階段と連続する側の隅部に、直線手すりに近接し該隅部の斜め外側方向に突出するように上下方向に設けられる垂直手すりとを、該垂直手すりを、その上部分が前記直線手すりより上側に突出するように設けたことを特徴とする手すりの配設構造。
【請求項２】
垂直手すりは垂直手すり棒と取付け具とからなり、該垂直手すり棒を、その略上端部分で取付け具を介しコーナ部に固定し、垂直手すり棒の下端部分を他の取付け具でコーナー部に架設固定したことを特徴とする請求項１に記載の手すりの配設構造。
【発明の詳細な説明】
【技術分野】
【０００１】
本発明は、一般住宅や集合住宅に用いられる手すりの配設構造に関するものである。特には、主に廻り階段といわれる昇降の途中で階段にコーナー部が設けられている階段への手すりの配設構造に関する。
【背景技術】
【０００２】
従来から、階段に昇降時の安全のため、手すりを広く設けることが行なわれている。また住宅等のレイアウト上の制約から、直線階段のほか、廻り階段と呼ばれる昇降の途中で階段にコーナー部を設けたものも多く用いられている。この廻り階段のコーナー部では、踏み板が通常三角形状となり、コーナー部の内側部分の踏み板形状は細く、足を置きづらい部分となっている。そのため手すりを設けるのは、主にコーナー部の外側を通るように設けられている。
【０００３】
一方で外側に手すりを設けると、階段の外周側を昇降者は通ることとなり、移動距離は内側を通る場合に比べて長い距離を歩くことになる。特に高齢者にとって移動距離が長くなることは負担となるので、内側にも手すりを設ける場合があるが、コーナー部の手前と先とに設けられる手すりの持ち替え時に、足元の不安定な中身を乗り出し持ち帰る必要があるため、利用者に不安感を与えていた。
【０００４】
これを解決するために、コーナー部の手前と先とに設けられる手すりをコーナー部で連続してつなぎ、コーナー部での移動に合わせて連続部分で体を保持しながら移動することが提案されていた（例えば特許文献１等）。
【０００５】
しかしながら連続形成された手すりであっても、階段のコーナー部での高低差を考えると、コーナー部では上下方向に手すりを形成せざるをえず、足元の不安がある中での手すりの保持と体の姿勢（例えばコーナー部への入り口部分で、姿勢を前傾にせざるを得ない点など）との間で連続しているがゆえにバランスを崩した際に手すり保持のストッパー部分が無く、階段を転げ落ちてしまうのではという不安が残っていて、まだまだ改良すべき点があった。
【特許文献１】特開平１０−１１５０６３号公報
【発明の開示】
【発明が解決しようとする課題】
【０００６】
本願発明は、上記背景技術に鑑みて発明されたものであり、その課題は、廻り階段のコーナー部内側を利用者が昇降する際に、コーナー部の前後を通じ安心して手すりを利用することができる手すりの配設構造を提供することである。
【課題を解決するための手段】
【０００７】
上記課題を解決するために、本願発明の請求項１にかかる発明では、直線階段部分とコーナー部との組合せで形成される廻り階段のコーナー部の内側部分に設けられる手すりの配設構造であって、直線階段部分の階段壁面に、該直線階段の傾斜に沿ってコーナー部に至るように設けられる直線手すりと、該コーナ部の前記直線階段と連続する側の隅部に、直線手すりに近接し該隅部の斜め外側方向に突出するように上下方向に設けられる垂直手すりとを、該垂直手すりを、その上部分が前記直線手すりより上側に突出するように設けたことを特徴とする手すりの配設構造としている。
【０００８】
また同請求項２にかかる発明では、上記においてさらに、垂直手すりは垂直手すり棒と取付け具とからなり、該垂直手すり棒を、その略上端部分で取付け具を介しコーナ部に固定し、垂直手すり棒の下端部分を他の取付け具でコーナー部に架設固定したことを特徴としている。
【発明の効果】
【０００９】
本願発明の請求項１にかかる手すりの配設構造においては、コーナ部の直線階段と連続する側の隅部に、直線手すりに近接し該隅部の斜め外側方向に突出するように上下方向に設けられる垂直手すりとを、該垂直手すりをその上部分が前記直線手すりより上側に突出するように設けたことで、利用者が階下に向かう際に、コーナ部に至る直前にそのままの姿勢のまま垂直手すりに持ち返ることができるので利用者は安心して手すりを用いることが可能となる。
【００１０】
また本願発明の請求項２にかかる手すりの配設構造においては、上記に加えさらに垂直手すりの固定を上端部分と下端部分とで架設しているので、コーナー部で垂直手すりを持ちながら降りて行く利用者が取付け具によって垂直手すりから手を離さず、または握り部分をずらさずに垂直手すりの棒部分を握る手をそのままの状態で手すり棒の周りを廻るように持つことができるので、より利用者の安心感が増す。
【発明を実施するための最良の形態】
【００１１】
本願発明の請求項１及び請求項２にかかる最良の形態を図１及び図２に示される以下の実施形態にて説明する。
【００１２】
本実施形態はいわゆるＵ字状の廻り階段に関するものであるが、図１が階上側である直線階段１からコーナー部２に至る部分の側面図であり、これは特にＵ字状の廻り階段だけではなく、後述のＬ字状の廻り階段（図３の実施形態）も同様に図示される。図２は、（ａ）平面図、（ｂ）コーナー部側から階上、階下を見るほうこうの側面図である。なお図２（ａ）において点線矢印で示されるのは、利用者の移動線である。
【００１３】
本実施形態の階段のコーナー部２近傍における手すりの配設構造では、図１に示すように特に階上側からコーナー部に至る部分になるが、直線階段１部分とコーナー部２との組合せで形成される廻り階段３のコーナー部２の内側部分に設けられる手すりの配設構造であって、直線階段１部分の階段壁面４に、該直線階段１の傾斜に沿ってコーナー部２に至るように設けられる直線手すり５と、該コーナー部２の前記直線階段１と連続する側の隅部６に、直線手すり５に近接し該隅部６の斜め外側方向に突出するように上下方向に設けられる垂直手すり７とを、該垂直手すり７を、その上部分が前記直線手すり５より上側に突出するように設けた手すりの配設構造となっている。図１において垂直手すり７部分にａとして示される範囲である。
【００１４】
また垂直手すり７は垂直手すり棒７１と取付け具７２とからなり、該垂直手すり棒７１を、その略上端部分で取付け具７２を介しコーナー部２に固定し、垂直手すり棒７１の下端部分を他の取付け具７２でコーナー部２に架設固定している。図２では（ａ）の垂直手すり７の取付け具７２を除いて、取付け具７２は簡略化のため省略し図示している。なお直線手すり５も同様、直線手すり棒５１を取付け具５２を適宜間隔で用いて階段壁面４に固定されている。
【００１５】
このような手すり配設構造では、利用者は階上から直線階段１部分を、直線手すり棒５１を持ちながら（大多数の場合は直線手すり棒５１の上側部分を握るようになる）、下降に応じて手を摺らせながら降りてくる。そしてコーナー部２の隅部６には、該隅部６の斜め外側方向に突出するように設けられている垂直手すり７が、その上部分が直線手すり５よりも上側に突出するように設けられている。そして利用者は直線階段１部分の終わりにおいて、コーナー部２に踏み出すことなく、手を直線手すり棒５１から離し、そのままの状態から手を前方に伸ばすだけで垂直手すり棒７１の上部分を握ることができる。なお、垂直手すり７は図２（ａ）に示されるように、隅部６の斜め外側方向に突出するように設けられているが、例えばどちらかの面に設けるなど、この場合に限らない。
【００１６】
次に垂直手すり７に持ち替えた利用者は、コーナー部２に入り、廻りながら階段を降りてゆく。このとき手を垂直手すり棒７１に摺らせながら降りてゆくが、垂直手すり棒７１に対して廻るように手をゆるく握り、摺らせながら降りてゆく。なお、垂直手すりは、先述のとおり垂直手すり棒７１の上端部分と下端部分とで取付け具７２を用いて固定されていて、また垂直手すり７と直線手すり５とは密接せずに設けられている。そのため少なくとも直線階段１に対し直角方向を向くまで手を離すなどせず、同じ握り方で安定して体を保持し続けることができる。
【００１７】
なお、直線手すり５と垂直手すり７とを何らかの連結具（例えば直線手すり棒５１先端から突出し垂直手すり棒７１と連結される細軸のボルト等）で連結されていても構わないが、垂直手すり７の直線手すり５より上側に突出する垂直手すり棒７１の部分を握った手が、同下側部分に摺らせながら至る際にじゃまになら無い様に設ける必要がある。
【００１８】
また垂直手すり棒７１を固定する取付け具７２も、本実施形態では垂直手すり棒７１の上端部分と下端部分にのみ設けることで、摺らせながら移動する手を、取付け具７２が原因で握りかえる必要が無い様にしているが、連結具の場合と同様に、摺らせる手のじゃまにならないようであれば、適宜取付け具７２を用いてもよい。特に手すり棒の強度が少ない場合には短間隔で取付ける必要があるが、そのような場合にも対応が可能である。
【００１９】
本実施形態はＵ字状の廻り階段３であるため、コーナー部２は連続して二箇所形成される。そのため垂直手すり７も二本存在する。そして垂直手すり７間では手の持ち替えが必要となるので、利用者の身長に対応できるように二本の垂直手すり棒７１は互いに上下方向に重なり合うように設けられている。なお、垂直手すり棒７１がコーナー部２の途中で他方側の垂直手すり棒７１に至るように連続して形成されていてもよい。
【００２０】
そしてその先の階下側の直線階段１に設けられる直線手すり５とは特に、該直線手すり棒５１の上下に跨ぐように配設しなくてもよい。これは利用者がコーナー部２を通り越し直線階段１部分に入ったときに手すりを持ち返るためで、もはや利用者は安定して体を支えることができる直線階段１部分に立っているからである。なお、逆に上っていく場合には垂直手すり７は常に直線階段より上側になる部分を有するので、必ず手すりを持ち返ることができる。
【００２１】
図３は、本発明の他の実施形態にあたり、Ｌ字状の廻り階段３の場合であり、先の実施形態と同様本発明の請求項１及び請求項２にかかる実施形態である。そして図２と同様に図示されている。
【００２２】
本実施形態も先の実施形態と同様に構成され、異なる点はコーナー部２が一箇所であるため垂直手すり７が一本となっている点である。そのため詳細な説明は割愛する。
【００２３】
以上説明をしてきたが、いずれの手すり棒も通常の丸棒タイプを用いている。これは手を握るという行為に対し一番自然であるからである。勿論その他の形状であっても構わない。また、コーナー部２に若干廻りこむ様に先端がカーブするなどの変形も考えられる。そして太さは種々のものが用いることができるが、安全性を考え、太さを決定する必要がある。材質は木製、樹脂製、金属製、これらの複合材によるものなどがある。
【００２４】
また階段の踏み板８１形状は図示のものだけに限らないが、直線手すり５と垂直手すり７との持ち替え部分の踏み板８１の形状は、内側部分であっても充分利用者が安全に立っていることができるような形状で無ければならない。そのため先述の先端が廻りこむ形状とし、コーナー部２に若干入った位置で垂直手すり７に持ち替えるようにする場合であっても、コーナー部２の踏み板８１が安定して利用者が立てる形状となっていれば、直線階段１からコーナー部２に入る位置であっても直線階段１と見做すことが可能である。
【００２５】
なお、階段は踏み板８１と蹴込み板８２とを順番に組み合わせて形成されているが、蹴込み板８２を用いない階段形状のものもある。
【図面の簡単な説明】
【００２６】
【図１】本願発明の一実施形態である手すりの配設構造を示す側面図である。
【図２】同実施形態の（ａ）平面図、（ｂ）図１と直角方向から見た側面図である。
【図３】本願発明の他の実施形態となる手すりの配設構造を示し、（ａ）平面図、（ｂ）側面図である。
【符号の説明】
【００２７】
１  直線階段
２  コーナー部
３  廻り階段
４  階段壁面
５  直線手すり
５１  直線手すり棒
５２  取付け具
６  隅部
７  垂直手すり
７１  垂直手すり棒
７２  取付け具
８１  踏み板
８２  蹴込み板
【図１】
2006299569.tif 000003
【図２】
2006299569.tif 000004
【図３】
2006299569.tif 000005